(57)【要約】【課題】切り花を見栄えがよく陳列した状態で長時間新鮮に保存でき、かつ上の方にある切り花を取り出すことの容易な切り花保存装置を提供する。【解決手段】基枠２に互いに高さが異なる３段の収容空間１４ａ〜１４ｃを設ける。花受け籠３は水が透過可能となるように形成する。各収容空間１４ａ〜１４ｃに切り花５を横向きに保持した姿勢で花受け籠３を夫々収容する。水を噴射するノズル３４，３５を有するパイプ３３を、花受け籠３に向けてノズル３４，３５から水が噴射されるように基枠２に配管する。パイプ３３に水を供給するポンプ４５を設ける。このようにすることにより、基枠２の前側に立つ購入者側に花托５ａが向くように切り花５を陳列できる。【選択図】    図１
2004248563.tif 000002
【特許請求の範囲】
【請求項１】
互いに高さが異なる複数段の収容空間を有する基枠と、
水が透過可能に形成され、切り花を横向きに保持した姿勢で前記基枠の各収容空間に収容された複数の花受け部と、
水を噴射するノズルを有し、前記花受け部内の前記切り花の茎部分などに向けて前記ノズルから水が噴射されるように前記基枠に配管されたパイプと、
前記パイプに水を供給するポンプと、を具備していることを特徴とする切り花保存装置。
【発明の詳細な説明】
【０００１】
【発明の属する技術分野】
本発明は、切り花を扱う店舗等において切り花を保存するために用いる切り花保存装置に関する。
【０００２】
【従来の技術】
従来、切り花を立てた姿勢で長時間保存できるような切り花保存装置が知られている。このような切り花保存装置としては、切り花を収容する複数の水槽と、各水槽間で水を循環させるポンプ及び送水管などを備えたものがある。
【０００３】
複数の水槽は夫々、切り花を漬けるための水を貯蓄するものであって、これら水槽は、互いに高さを変えて複数段配置されているとともにオーバフロー管により互いに連通されている。冷却器によって各水槽内の温度は０℃以上１５℃未満の温度に維持されている。切り花は、各水槽に茎の切口側を貯留された水につけ、立ち上がらせた姿勢で保持されている。すなわち、切り花は花托を上方に向けた姿勢で水槽に入れられている。
【０００４】
この切り花保存装置は、最上段の水槽のみに冷媒流通路パイプを配置し、上段水槽において冷却された水をオーバフロー管を介して中段水槽及び下段水槽に導くようになっている。したがって、簡単な構成で切り花を漬けておく各水槽の水を切り花の保存に適した温度に保つことができ、これにより切り花を長時間新鮮な状態に維持できる（例えば、特許文献１参照。）。
【０００５】
【特許文献１】
特許第３１５０６３２号公報（段落０００９〜段落００１４、図１）
【０００６】
【発明が解決しようとする課題】
ところで、切り花を扱う店舗等では、切り花を長時間新鮮な状態に維持したいという要求とともに、購入者から花托が見えるように陳列することで切り花の見栄えをよくしたいという要求がある。そのため、切り花保存装置としては、切り花を長時間新鮮な状態で維持するだけでなく、切り花を見栄えよく陳列できるものが求められている。
【０００７】
しかしながら、特許文献１に記載の技術では、切り花は互いに高さを変えて複数段設置された水槽に花托を上方に向けた状態で収容される。そのため、特に上段側の水槽に収容された切り花の花托は購入者からは見え難い。また。上段側の水槽が高い位置にあるために、上段側の水槽に入れた切り花を取り出しにくいという問題がある。
【０００８】
この発明は、切り花を見栄えがよく陳列した状態で長時間新鮮に保存でき、かつ上の方にある切り花を取り出すことの容易な切り花保存装置を提供することを目的とする。
【０００９】
【課題を解決するための手段】
この発明に係る切り花保存装置は、互いに高さが異なる複数段の収容空間を有する基枠と、水が透過可能に形成され、切り花を横向きに保持した姿勢で前記基枠の各収容空間に収容された複数の花受け部と、水を噴射するノズルを有し、前記花受け部内の前記切り花の茎部分に向けて前記ノズルから水が噴射されるように前記基枠に配管されたパイプと、前記パイプに水を供給するポンプと、を具備していることを特徴とする。
【００１０】
この発明の切り花保存装置において、「切り花を横向きに保持した姿勢で基枠の各収容空間に収容された」花受け部とは、切り花と基枠の設置面とが略平行となるように切り花を保持した姿勢で収容空間に収容される花受け部だけでなく、切り花を前記設置面と水平な面に対して斜め上方に向くように鋭角に傾斜させて保持した姿勢で収容空間に収容される花受け部を含んでいる。
【００１１】
この発明の切り花保存装置では、複数の花受け部が、切り花を横向きに保持した姿勢で基枠の各収容空間に収容されるので、切り花を基枠に対して横向きの姿勢、すなわち、基枠の前側に立つ購入者側に花托が向くような姿勢で切り花が陳列される。したがって、下方の収容空間に収容された花受け部に保持される切り花だけでなく上方の収容空間に収容された花受け部に保持される切り花も見栄えがよくしかも取り出し易い。
【００１２】
また、水を噴射するノズルを有するパイプが、水が透過可能に形成された花受け部に向けて前記ノズルから水が噴射されるように基枠に配管されている。そのため、ポンプでパイプに水を供給することにより、ノズルから噴射された水が花受け部を透過して前記花受け部に保持された切り花に供給される。したがって、切り花を新鮮に保存できる。
【００１３】
【発明の実施の形態】
以下、図１〜図３を参照して本発明の一実施形態を説明する。
【００１４】
切り花保存装置１は、基枠２と、花受け部としての花受け籠３と、水供給装置４等を備えている。なお、図１では、基枠２の上段のみ花受け籠３を示し、中段及び下段の収容空間１４ｂ，１４ｃに収容される花受け籠３は省略して示している。
【００１５】
基枠２は、上方から下方に向かって幅広となるように前端が傾斜した台形状の左右一対の側板１０ａ，１０ｂと、これら左右一対の側板１０ａ，１０ｂの上端縁及び下端縁に夫々連なる矩形状の上下一対の端板１０ｃ，１０ｄと、左右一対の側板１０ａ，１０ｂの後端縁に連なる矩形状の背板１０ｅとを備えて、前面が開放した箱状に形成されている。
【００１６】
図１と図３に示すように、下端板１０ｄの後側略半分には開口部Ｓ１が設けられており、この開口部Ｓ１に、落ち葉や花片、或いはごみ等の異物を濾過して水を後述する水槽３２に流し込むための濾過部１１が嵌め込まれている。この濾過部１１は、例えば、ステンレス鋼製からなる線材を格子状に編みこむ等して形成することができる。下端板１０ｄの前側略半分Ｓ２は、濾過部１１に向かうに従って低くなるように傾斜している。
【００１７】
図３に示すように、基枠２の背部は、背板１０ｅの前側にこの背板１０ｅと対向するように目隠し板１２が配置されて２重壁とされている。背板１０ｅと目隠し板１２との間の空間には後述するパイプ３３が配管されている。このように、背板１０ｅと目隠し板１２との間にパイプ３３を配管すると、パイプ３３が基枠２の表面から露出しないので見栄えがよい。なお、基枠２の背部は目隠し板１２を省略して背板１０ｅのみの１枚壁としてもよく、その場合、パイプ３３は背板１０ｅや側板１０ａ，１０ｂの前面或いは背面等に沿わせるようにして配管すればよい。
【００１８】
基枠２の内部は、例えば、各仕切り部材１３ａ〜１３ｃと下端板１０ｄとにより、上段の収容空間１４ａ、中段の収容空間１４ｂ、及び下段の収容空間１４ｃの３つの空間に分割されている。詳しくは、第１の仕切り部材１３ａは上端板１０ｃに臨んで配置されている。第２及び第３の仕切り部材１３ｂ，１３ｃは第１仕切り部材１３ａと下端板１０ｄとの間を略３等分するように配置されている。なお、基枠２の内部の収容空間は２つであってもよく、また、３つ以上であってもよい。
【００１９】
これら仕切り部材１３ａ〜１３ｃは夫々、上板及び下板１５ａ，１５ｂと、これら上板及び下板１５ａ，１５ｂの前端縁を連結する前板１５ｃとを有している（図３参照）。これら板１５ａ〜１５ｃと基枠２の左右の側板１０ａ、１０ｂとにより囲まれた内部空間には後述するパイプ３３が配管されている。
【００２０】
これら仕切り部材１３ａ〜１３ｃの下板１５ｂには、前方に寄せて細長形状の第１開口部が夫々設けられている。第１開口部は、これら仕切り部材１３ａ〜１３ｃの内部空間に収容されるパイプ３３の先端部に設けられた後述する下向きノズル３５の吐出口３５ａを外部に露出させるためのものである。
【００２１】
また、第２及び第３の仕切り部材１３ｂ，１３ｃの上板１５ａには、第１開口部よりも若干後方に位置するように細長形状の第２開口部が設けられている。第２開口部は、仕切り部材１３ｂ，１３ｃの内部空間に収容されるパイプ３３に設けられた後述する上向きノズル３４の吐出口３４ａを露出させるためのものである。
【００２２】
これら仕切り部材１３ａ〜１３ｃの先端には、前板１５ｃの略全面を覆うように屈曲する断面略三角形の細長形状の係止部１８が取付けられている（図３参照）。係止部１８の前部には、一対の前側係止孔１９が左右方向に離間して開けられている。一方、基枠２の目隠し板１２には、各収容空間１４ａ〜１４ｃに対応させて、左右方向に離間して開けられた一対の後側係止孔２０ａ，２０ｂ，２０ｃが上下方向に並んで３組設けられている。
【００２３】
これら３組の後側係止孔２０ａ，２０ｂ，２０ｃのうち、最も上方に設けられている後側係止孔２０ａの高さ位置は前側係止孔１９の高さ位置と同等の高さ位置或いはそれ以下の高さ位置に形成されている。この実施形態では、３組の後側係止孔２０ａ，２０ｂ，２０ｃの高さ位置はいずれも前側係止具１９の高さ位置よりも低い位置となるように形成されている（図２参照）。
【００２４】
花受け籠３は、基枠２の各収容空間１４ａ〜１４ｃの夫々に収容される。すなわち、この実施形態では、花受け籠３は３つ設けられている。これら花受け籠３は夫々、例えばステンレス鋼からなる線材により外形略長方形状に形成されている。
【００２５】
これら花受け籠３の内部は、例えば、左右方向に４列、上下方向に２列、計８つの空間に分割されており、これら空間が夫々切り花５を保持する保持空間となっている。切り花５は、花托５ａが花受け籠３の前側に位置するように花受け籠３の各保持空間に収容することで花受け籠３に保持される（図１及び図３参照）。
【００２６】
また、これら花受け籠３の前側上部及び後側上部には、鉤状に屈曲した前側係止具２１及び後側係止具２２が設けられている。花受け籠３は、後側係止具２２を後側係止孔２０ａ〜２０ｃのうちのいずれかに着脱自在に係止させるとともに、前側係止具２１を前側係止具１９に着脱自在に係止することにより、基枠２の各収容空間１４ａ〜１４ｃに夫々収容されている。
【００２７】
基枠２には、前側係止具１９の高さよりも低い位置に互いに高さの異なる３組の後側係止具２０ａ〜２０ｃが設けられているため、上方に設けられた後側係止孔を選択する程、基枠２の設置面Ｆと平行な面に対する花受け籠３の傾斜角度が小さくなる。つまり、上方の後側係止孔を選択する程、切り花５を前記設置面Ｆと水平な面に対して小さい角度に傾斜させて保持した姿勢で花受け籠３が各収容空間１４ａ〜１４ｃに収容される。これにより、花受け籠３の傾き、すなわち、陳列する切り花５の傾きを調整することができる。
【００２８】
水供給装置４は、ケーシング３０と、冷媒流通用パイプ３１ａを有する冷却器３１と、水槽３２と、３つの上向きノズル３４及び３つの下向きノズル３５を有するパイプ３３とを備えている。ケーシング３０は、左右一対の側板４０ａ，４０ｂと、これら左右一対の側板４０ａ，４０ｂの下端縁に連なる矩形状の下端板４０ｄと、左右一対の側板４０ａ，４０ｂの後端縁に連なる矩形状の背板４０ｅと、左右一対の側板４０ａ，４０ｂの前端縁に連なるルーバー状のカバー部４１とを備えて、上面が開放した箱状に形成されている。
【００２９】
基枠２はケーシング３０の上部に固設されている。また、下端板４０ｄの外面四隅にはキャスター４２が取付けられているため、設置面Ｆ上において切り花保存装置１を容易に移動させることができる。なお、基枠２とケーシング３０とは一体に形成してもよい。
【００３０】
ケーシング３０の内部は、左右２つの空間に分割されている。一方の空間、例えば、右側の空間は水を貯留する水槽３２となっており、他方の空間である左側の空間は冷却器収容部４３となっている。また、図２に示すように、右側板４０ｂには水道水を引き込む孔４７が開けられており、適宜水槽３２に水を補給できるようになっている。
【００３１】
冷却器収容部４３の内部には、この冷却器収容部４３に水が浸入するのを抑制するために、濾過部１１を下側から覆うようにカバー４４が設けられている。このカバー４４は、水槽３２側に向かうに従って低くなるように傾斜している。
【００３２】
水槽３２は、例えば、ステンレス鋼板等からなる内板と外板との間に発泡ウレタン等の合成樹脂発泡体からなる断熱材を設けたものを好適に用いることができる。ところで、切り花５を漬ける水の温度は、０℃以上１５℃未満であることが望ましい。
【００３３】
０℃を下まわると、通常の切り花５は黒ずんで死んでしまうし、１５℃以上では切り花５の生体活動が活発になって水温がさらに上昇する傾向があり、水が腐り易くなって切り花５のもちが悪くなる。そのため、この水槽３２には、水温が例えば６℃前後に保持された冷水を貯留できるようになっている。
【００３４】
水槽３２の内部には、冷却器３１の一部を構成する冷媒流通用パイプ３１ａ（銅パイプ）が蛇行した形状に配管されている。冷却器３１は一般的な冷凍サイクルを用いたものでよく、図示しないコンプレッサ、凝縮機、ドライヤ、及びキャピラリーチューブと、上記冷媒流通用パイプ３１ａとが備えられている。冷媒流通用パイプ３１ａを除く冷却器３１の本体部分がユニット化されて冷却器収容部４３に収容されている。また、冷媒流通用パイプ３１ａのうち水槽３２の外部に露出している部分には図示しない保温材によって覆われている。
【００３５】
ポンプ４５は水槽３２内の水中に没している。ポンプ４５の吸込み口は水中に開口しており、ポンプ４５の吐出口にはパイプ３３の一端部が接続されている。なお、図１〜図３では、パイプ３３を二点鎖線で示している。パイプ３３は、例えば、水槽３２の水面から延出し、基枠２の下端板１０ｄを貫通して背板１０ｅと目隠し板１２との間に配管されているとともに、下端板１０ｄの上部及び各仕切り部材１３ａ〜１３ｃ内に分岐して配管されている。
【００３６】
第１の仕切り部材１３ａ内に配管された分岐配管４６ａの先端部には、基枠２の左右方向に延びる下向きノズル３５が接続されている。この下向きノズル３５は第１の仕切り部材１３ａに形成された第１開口部から吐出口３５ａを下側斜め後方に向けた状態で露出させるようにして、第１の仕切り部材１３ａ内に配置されている。この下向きノズル３５の吐出口３５ａからは、上段の収容空間１４ａに収容された花受け籠３に向けて上方から矢印Ｘ１（図３参照）に示すように水が噴射される。
【００３７】
第２及び第３の仕切り部材１３ｂ，１３ｃ内に配管された分岐配管４６ｂ，４６ｃの先端部には夫々、基枠２の左右方向に延びる上向きノズル３４及び下向きノズル３５が接続されている。下向きノズル３５は第２及び第３の仕切り部材１３ｂ，１３ｃに形成された第１開口部から吐出口３５ａを下側斜め後方に向けた状態で露出させるようにして第２及び第３の仕切り部材１３ｂ、１３ｃ内に配置されている。
【００３８】
これら下向きノズル３５の吐出口３５ａからは、中段及び下段の収容空間１４ｂ，１４ｃに収容された花受け籠３に向けて上方から矢印Ｘ２及びＸ３（図３参照）に示すように水が噴射される。
【００３９】
一方、上向きノズル３４は第２及び第３の仕切り部材１３ｂ，１３ｃに形成された第２開口部から吐出口３４ａを上側斜め後方に向けた状態で露出させるようにして第２及び第３の仕切り部材１３ｂ，１３ｃ内に配置されている。
【００４０】
これら上向きノズル３４の吐出口３４ａからは、上段及び中段の収容空間１４ａ，１４ｂに収容された花受け籠３に向けて下側から矢印Ｙ１及びＹ２（図３参照）に示すように水が噴射される。なお、図１及び図３では、下向きノズル３５が上向きノズル３４よりも前側に配置されているが、下向きノズル３５が上向きノズル３４よりも後側に配置されるようにしてもよい。
【００４１】
下端板１０ｄの上部に配管された分岐配管４６ｄの先端部には、基枠２の左右方向に延びる上向きノズル３４が接続されている。上向きノズル３４の吐出口３４ａからは、下段の収容空間１４ｃに収容された花受け籠３に向けて下側から矢印Ｙ３（図３参照）に示すように水が噴射される。
【００４２】
切り花保存装置１は、以下のようにして使用する。まず、水槽３２内に水道から所定量の水を貯留するとともに、冷却器３１を駆動させて水槽３２内の水温を所定の温度に冷却しておく。
【００４３】
花托５ａが花受け籠３の前側に位置するように花受け籠３の各保持空間に切り花５を収容する。なお、図１では、１つの保持空間にのみ切り花５を保持した状態を示している。切り花５を保持した花受け籠３を、後側係止具２２を例えば後側係止孔２０ｂに係止させるとともに、前側係止具２１を前側係止孔１９に係止することにより、基枠２の各収容空間１４ａ〜１４ｃに収容する。
【００４４】
これにより、図３に示すように、切り花５は切り花保存装置１に花托５ａを前方（すなわち購入者側）に向け、且つ、切り花５を設置面Ｆと水平な面に対して斜め上方に向くように角度θ（０°≦θ＜９０°）だけ傾斜させて保持した姿勢で陳列される。
【００４５】
なお、各収容空間１４ａ〜１４ｃに収容された花受け籠３に切り花５を差し込んで保持させてもよい。この際、後側係止具２２を係止する後側係止孔２０ａ〜２０ｃは、後側係止孔２０ｂに限らず、切り花５の見栄え等を考慮して任意に選択できる。
【００４６】
ポンプ４５を駆動させてパイプ３３に水を供給する。これにより、花受け籠３には上側用及び下向きノズル３４，３５によって上下方向から水が噴射され、花受け籠３を透過して花受け籠３に保持された切り花５の主に茎部分や葉などに供給される。これらノズル３４，３５から噴射された水は基枠２の下端板１０ｄに落下し、濾過部１１を介してケーシング３０内に流入する。
【００４７】
なお、上述のように、下端板１０ｄの前側略半分Ｓ２は濾過部１１に向かうに従って低くなるように傾斜しているので、下端板１０ｄの前側略半分Ｓ２に落下した水も濾過部１１を介してケーシング３０内に流入する。
【００４８】
濾過部１１で濾過されてケーシング３０内に流入した水は、再び水槽３２に貯留される。なお、上述のように、冷却器収容部４３には濾過部１１を下側から覆うようにカバー４４が設けられており、このカバー４４は水槽３２側に向かうに従って低くなるように傾斜しているので、冷却器収容部４３側に落下した水も水槽３２に導かれて貯留される。ポンプ４５の駆動中はこれが繰り返される。
【００４９】
以上のように、この切り花保存装置１によれば、３つの花受け籠３が切り花５を横向きに保持した姿勢で基枠２の各収容空間１４ａ〜１４ｃに収容されるので、花托５ａを基枠２に対して横向きの姿勢、すなわち、基枠２の前側に立つ購入者側に花托５ａが向くように切り花５を陳列することができる。したがって、下段の収容空間１４ｃに収容された花受け籠３に保持される切り花５だけでなく中段の収容空間１４ｂや上段の収容空間１４ａに収容された花受け籠３に保持される切り花５の見栄えがよい。
【００５０】
しかも、水を噴射するノズル３４，３５を有するパイプ３３が、水が透過可能に形成された花受け籠３に向けてこれらノズル３４，３５から水が噴射されるように基枠２に配管されている。そのため、ポンプ４５によってパイプ３３に水を供給することにより、これらノズル３４，３５から噴射された水が花受け籠３を透過して前記花受け籠３に保持された切り花５に供給される。したがって、切り花５を新鮮に保存できる。
【００５１】
従来の切り花保存装置のように切り花が立ち上がった姿勢で水槽等に収容されている場合、切り花を取り出す際に、切り花を水槽の上端縁から出るまで上方に引き上げて取り出す必要がある。このため、従来は、上段の水槽に収容された切り花を取り出すためには、場合によっては脚立等を用いて切り花を水槽から引き上げる必要があり面倒であった。
【００５２】
これに対し、この切り花保存装置１では、切り花５が横向きに保持されているので、切り花５を花受け籠３から取り出すときに、切り花５を前方に滑らせながら引抜けばよい。そのため、上段の収容空間１４ａに収容された花受け籠３に保持された切り花５であっても切り花保存装置１から取り出し易い。
【００５３】
なお、この実施形態では、花受け部として線材により形成された花受け籠を用いたが、花受け部は籠に限定されるものではなく、切り花を保持でき、且つ、ノズルから外部に吹き付けられた水を内部に透過できるものであればよい。
【００５４】
また、この発明の切り花保存装置には、水槽の温度を所望の温度近傍に保持するために、冷却器の発停を制御する制御部を設けてもよい。
【００５５】
【発明の効果】
以上に説明したように、この発明によれは、切り花を見栄えがよく陳列した状態で長時間新鮮に保存でき、しかも上段側にある切り花が良く見え且つ取り出しが容易な切り花保存装置が得られる。
【図面の簡単な説明】
【図１】この発明の一実施形態に係る切り花保存装置を示す斜視図。
【図２】図１の切り花保存装置をカバー部を省略した状態で示す正面図。
【図３】図１の切り花保存装置を左側板を省略した状態で示す側面図。
【符号の説明】
１…切り花保存装置、２…基枠、３…花受け籠（花受け部）、５…切り花、１４ａ〜１４ｃ…収容空間、３３…パイプ、３４，３５…ノズル、４５…ポンプ
【図１】
2004248563.tif 000003
【図２】
2004248563.tif 000004
【図３】
2004248563.tif 000005
【手続補正書】
【提出日】平成16年2月23日(2004.2.23)
【手続補正１】
【補正対象書類名】明細書
【補正対象項目名】特許請求の範囲
【補正方法】変更
【補正の内容】
【特許請求の範囲】
【請求項１】
互いに高さが異なる複数段の収容空間を有する基枠と、
水が透過可能に形成され、切り花を横向きに保持した姿勢で前記基枠の各収容空間に収容された複数の花受け部と、
水を噴射するノズルを有し、前記花受け部内の前記切り花の茎部分などに向けて前記ノズルから水が噴射されるように前記基枠に配管されたパイプと、
前記パイプに水を供給するポンプと、を具備していることを特徴とする切り花保存装置。
【請求項２】
前記花受け部は、水平な面に対して前記切り花が斜め上方を向くように傾斜した姿勢で前記収容空間に収容されることを特徴とする請求項１に記載の切り花保存装置。
【請求項３】
互いに高さが異なる複数段の収容空間を有する基枠と、
水が透過可能に形成され、切り花を横向きに保持した姿勢で前記基枠の各収容空間に収容された複数の花受け部であって、水平な面に対して前記切り花が斜め上方を向くように傾斜した姿勢で前記収容空間に収容される花受け部と、
前記花受け部内の前記切り花の茎の部分などに向けて水を噴射するノズルと、を具備していることを特徴とする切り花保存装置。
【手続補正２】
【補正対象書類名】明細書
【補正対象項目名】００２３
【補正方法】変更
【補正の内容】
【００２３】
これら３組の後側係止孔２０ａ，２０ｂ，２０ｃのうち、最も上方に設けられている後側係止孔２０ａの高さ位置は前側係止孔１９の高さ位置と同等の高さ位置或いはそれ以下の高さ位置に形成されている。この実施形態では、３組の後側係止孔２０ａ，２０ｂ，２０ｃの高さ位置はいずれも前側係止孔１９の高さ位置よりも低い位置となるように形成されている（図２参照）。


【手続補正３】
【補正対象書類名】明細書
【補正対象項目名】００２６
【補正方法】変更
【補正の内容】
【００２６】
また、これら花受け籠３の前側上部及び後側上部には、鉤状に屈曲した前側係止具２１及び後側係止具２２が設けられている。花受け籠３は、後側係止具２２を後側係止孔２０ａ〜２０ｃのうちのいずれかに着脱自在に係止させるとともに、前側係止具２１を前側係止孔１９に着脱自在に係止することにより、基枠２の各収容空間１４ａ〜１４ｃに夫々収容されている。


【手続補正４】
【補正対象書類名】明細書
【補正対象項目名】００２７
【補正方法】変更
【補正の内容】
【００２７】
基枠２には、前側係止孔１９の高さよりも低い位置に互いに高さの異なる３組の後側係止孔２０ａ〜２０ｃが設けられているため、上方に設けられた後側係止孔を選択する程、基枠２の設置面Ｆと平行な面に対する花受け籠３の傾斜角度が小さくなる。つまり、上方の後側係止孔を選択する程、切り花５を前記設置面Ｆと水平な面に対して小さい角度に傾斜させて保持した姿勢で花受け籠３が各収容空間１４ａ〜１４ｃに収容される。これにより、花受け籠３の傾き、すなわち、陳列する切り花５の傾きを調整することができる。